(57)【特許請求の範囲】
【請求項１】
金属製室外側部材と金属製室内側部材を断熱材で連結した断熱形材の上枠、下枠、左右の縦枠を方形状に連結したサッシ枠と、
金属製室外側部材と金属製室内側部材を断熱材で連結した断熱形材の上面板、左右の側面板と室内側縦板より成る本体と、この本体の室外側部に着脱自在に取付けたカバー体を有するシャッターケースを備え、
前記シャッターケースはサッシ枠の上枠の上部に、上面板の断熱材、側面板の断熱材が上枠の断熱材、縦枠の断熱材と面外方向に略同一位置として設けてあり、
前記室内側縦板は上面板、上枠の金属製室内側部材間に亘って取付けてあり、
前記シャッターケースの本体内に断熱パネルが、前記上面板、側面板、上枠の断熱材を境として各金属製室外側部材と各金属製室内側部材に接して取付けてあることを特徴とするシャッターケース付きサッシ枠。
【発明の詳細な説明】
【０００１】
【発明の属する技術分野】
本発明は、サッシ枠の上部にシャッターケースを備えたシャッターケース付きサッシ枠に関する。
【０００２】
【従来の技術】
サッシ枠の上部にシャッターケースを備えたシャッターケース付きサッシ枠が種々提案されている。
このシャッターケース付きサッシ枠は、例えば次のようにして建物壁体に取付けられる。
建物壁体にサッシ取付用の開口部と、この開口部の上方と連続し室外側に開口したシャッターケース取付用の凹部を形成する。
サッシ枠を開口部に取付けると共に、シャッターケースを凹部に収納する。
【０００３】
【発明が解決しようとする課題】
前述のように取付けることで、シャッターケースが建物壁体の室外側面よりも室外側に突出する寸法、つまりシャッターケースの出幅が小さくなるから、外観の見栄えが良い。
しかしながら、前述のように取付けると建物壁体のシャッターケースの室内側部分（凹部を形成した部分の残存部分）の室内外側方向の寸法（つまり、厚さ）が小さくなる。
一方、シャッターケース内には室外の空気が流入する。
このために、冬季や寒冷地などにおいては室外の冷気がシャッターケース内に流入し、その冷気が、前述の厚さの小さい建物壁体部分を通して室内に伝わり易い。
また、サッシ枠が断熱サッシ枠であってもシャッターケース内に流入した室外の冷気が断熱サッシ枠の室内側部材に伝わり、断熱性能が低下する。
【０００４】
本発明は、前述の課題を解決するためになされたものであって、その目的は、シャッターボックス内の冷気が建物壁体の凹部の残存部分を通して室内に伝わることを防止できるようにしたシャッターケース付きサッシ枠を提供することである。
【０００５】
【課題を解決するための手段】
本発明は、金属製室外側部材と金属製室内側部材を断熱材で連結した断熱形材の上枠、下枠、左右の縦枠を方形状に連結したサッシ枠と、
金属製室外側部材と金属製室内側部材を断熱材で連結した断熱形材の上面板、左右の側面板と室内側縦板より成る本体と、この本体の室外側部に着脱自在に取付けたカバー体を有するシャッターケースを備え、
前記シャッターケースはサッシ枠の上枠の上部に、上面板の断熱材、側面板の断熱材が上枠の断熱材、縦枠の断熱材と面外方向に略同一位置として設けてあり、
前記室内側縦板は上面板、上枠の金属製室内側部材間に亘って取付けてあり、
前記シャッターケースの本体内に断熱パネルが、前記上面板、側面板、上枠の断熱材を境として各金属製室外側部材と各金属製室内側部材に接して取付けてあることを特徴とするシャッターケース付きサッシ枠である。
【０００６】
【作  用】
本発明によれば、シャッターケースがサッシ枠の上枠の上部に取付けてあるので、そのシャッターケース付きサッシ枠を建物壁体に取付ける場合に、シャッターケースは建物壁体の開口部の上方と連続し室外側に開口した凹部内に収納されるから、シャッターケースの建物壁体からの出幅が小さく、外観の見栄えが良い。
【０００７】
また、シャッターケースの内部室外側に流入した室外の冷気は断熱パネルで遮断され内部室内側に伝わらない。
よって、建物壁体の凹部の残存部分を通って冷気が室内に伝わることを防止できる。
【０００８】
また、シャッターケース内に流入した冷気が、上面板、側面板、上枠の金属製室内側部材に伝わることが断熱パネルで防止される。
よって、その冷気が前述の金属製室内側部材を伝わってサッシ枠の室内側部に伝わることがなく、シャッターケースで断熱サッシ枠の断熱性能が低下することがない。
【０００９】
【発明の実施の形態】
図１に示すように、建物壁体１にはサッシ取付け用の開口部２と、この開口部２の上方に連続し室外側に開口したシャッターケース取付用の凹部３を有する。
この実施の形態では、建物壁体１は建物躯体４、内装材５、外装材６、額縁７等で構成されている。
前記開口部２にはサッシ枠１０が取付けられる。
このサッシ枠１０は図１と図２に示すように、上枠１１と下枠１２と左右の縦枠１３を方形状に連結してある。各枠はアルミ等の金属製室外側部材１１ａ，１２ａ，１３ａとアルミ等の金属製室内側部材１１ｂ，１２ｂ，１３ｂを断熱材１１ｃ，１２ｃ，１３ｃで連結した断熱形材で、そのサッシ枠１０は断熱サッシ枠である。
前記サッシ枠１０に断熱タイプの室内側障子１４と室外側障子１５が装着されて断熱窓を形成している。
【００１０】
前記上枠１１の上部にシャッターケース２０が設けてある。
このシャッターケース２０は、上面板２１と側面板２２と室内側縦板２３より成る本体２４と、この本体２４の室外側部に着脱自在に取付けたカバー体２５を備えている。
このシャッターケース２０内にシャッタースラット２６を巻き取り・繰り出しする図示しない軸又はドラム等が取付けてある。
そのシャッタースラット２６は縦枠１３の室外側部に取付けたスラットガイド２７に沿って上下動する。
最下部のシャッタースラット２６に把手部２８が取付けてある。
【００１１】
前記上面板２１はアルミ等の金属製室外側部材２１ａとアルミ等の金属製室内側部材２１ｂを断熱材２１ｃで連結した断熱形材で、その断熱材２１ｃは上枠１１の断熱材１１ｃと面外方向に略同一位置である。
前記側面板２２は縦枠１３を上枠１１よりも上方に突出した部分で形成され、その側面板２２も断熱形材である。これによって、本体２４の室外側部はサッシ枠１０の室外側部と略面一である。
前記室内側縦板２３は上面板２１の金属製室内側部材２１ｂと上枠１１の金属製室内側部材１１ｂとに亘って取付けてある。
【００１２】
このようであるから、シャッターケース２０は本体２４が建物壁体１の凹部３内に取付けられ、カバー体２５が建物壁体１の室外側面（外装材６）よりも室外側に突出しているので、シャッターケース２０の出幅が小さく見栄えが良い。
【００１３】
前記シャッターケース２０の本体２４内に断熱パネル３０が取付けてある。
この断熱パネル３０は、前記上面板２１、側面板２２（縦枠１３の上方部分）、上枠１１の断熱材２１ｃ，１３ｃ，１１ｃを境として各金属製室外側部材と各金属製室内側部材に接するように取付けてある。
【００１４】
このようであるから、シャッターケース２０の内部室外側に流入した室外の冷気は断熱パネル３０で遮断され内部室内側に伝わらない。よって、建物壁体１における凹部３の残存部分１ａを通って室内に伝わることがない。
また、シャッターケース２０内に流入した冷気は上面板２１、側面板２２（縦枠１３の上方部分）、上枠１１の金属製室内側部材２１ｂ，１３ｂ，１１ｂに伝わることが断熱パネル３０で防止されるので、シャッターケース２０内の冷気は、それらの金属製室内側部材を伝わってサッシ枠１０の室内側部に伝わることがなく、シャッターケース２０で断熱サッシ枠（断熱窓）の断熱性能を低下することがない。
【００１５】
以上の実施の形態では本体２４の側面板２２を縦板１３の上方部分としたが、縦枠１３とは別体としても良い。
【００１６】
【発明の効果】
請求項１に係る発明によれば、シャッターケースがサッシ枠の上枠の上部に取付けてあるので、そのシャッターケース付きサッシ枠を建物壁体に取付ける場合に、シャッターケースは建物壁体の開口部の上方と連続し室外側に開口した凹部内に取付けられるから、シャッターケースの建物壁体からの出幅が小さく、外観の見栄えが良い。
【００１７】
また、シャッターケースの内部室外側に流入した室外の冷気は断熱パネルで遮断され内部室内側に伝わらない。
よって、建物壁体の凹部の残存部分を通って冷気が室内に伝わることを防止できる。
【００１８】
また、シャッターケース内に流入した冷気が、上面板、側面板、上枠の金属製室内側部材に伝わることが断熱パネルで防止される。
よって、その冷気が前述の金属製室内側部材を伝わってサッシ枠の室内側部に伝わることがなく、シャッターケースで断熱サッシ枠の断熱性能が低下することがない。
【図面の簡単な説明】
【図１】建物壁体に取付けた状態の縦断面図である。
【図２】サッシ枠部分の横断面図である。
【符号の説明】
１…建物壁体、１ａ…残存部分、２…開口部、３…凹部、１０…サッシ枠、１１…上枠、１１ａ…金属製室外側部材、１１ｂ…金属製室内側部材、１１ｃ…断熱材、１２…下枠、１３…縦枠、１３ａ…金属製室外側部材、１３ｂ…金属製室内側部材、１３ｃ…断熱材、２０…シャッターケース、２１…上面板、２１ａ…金属製室外側部材、２１ｂ…金属製室内側部材、２１ｃ…断熱材、２２…側面板、３０…断熱パネル
【図１】
0003598501.tif 000002
【図２】
0003598501.tif 000003